【手続補正書】
【提出日】平成23年6月6日(2011.6.6)
【手続補正１】
【補正対象書類名】特許請求の範囲
【補正対象項目名】全文
【補正方法】変更
【補正の内容】
【特許請求の範囲】
【請求項１】
通信システムにおけるフレーム同期信号のための符号化方法であって、
中間変数を取得するために、セルＩＤまたはセルグループＩＤに、オフセットを加算することであって、前記オフセットは、各生成されるセカンダリ同期チャネル（Ｓ−ＳＣＨ）コードワード内の第１のショートコードが第２のショートコードよりも大きいこと、または、各生成されるＳ−ＳＣＨコードワード内の第１のショートコードが第２のショートコードよりも小さいことと、それらのショートコード距離が予め定義されたしきい値以下であることと、を可能にするために使用される、ことと、
前記セルＩＤまたはセルグループＩＤに対応するショートコードを取得するために、前記セルＩＤまたはセルグループＩＤに対応する前記中間変数を以下の式に従って符号化することと、
【数２】
2010520681.tif 000001
ただし、ＩＤ’は前記中間変数を示し、ｓ0（ＩＤ）は、前記セルＩＤまたはセルグループＩＤに対応する前記第１のショートコードを示し、ｓ1（ＩＤ）は、前記セルＩＤまたはセルグループＩＤに対応する前記第２のショートコードを示し、Ｌは、セカンダリ同期コード（ＳＳＣ）シーケンスセットの要素の数を示す正の整数である、
前記ショートコードに従ってセカンダリ同期チャネル（Ｓ−ＳＣＨ）コードワードを生成することであって、各生成されるＳ−ＳＣＨコードワード内の前記第１のショートコードは前記第２のショートコードよりも大きいか、または、各生成されるＳ−ＳＣＨコードワード内の前記第１のショートコードは前記第２のショートコードよりも小さく、かつ、それらの前記ショートコード距離は、すべて、前記しきい値以下である、ことと、
を含む、符号化方法。
【請求項２】
前記セルＩＤまたはセルグループＩＤに予め定義されたオフセットを加算することによって取得される前記中間変数は、ＩＤ’＝ＩＤ＋ｋ（ｋ＋１）／２であり、ＩＤ’は前記中間変数を示し、
【数１】
2010520681.tif 000002
, であり、
ＩＤは前記セルＩＤまたはセルグループＩＤを示し、
【数２】
2010520681.tif 000003
である、請求項１記載の符号化方法。
【請求項３】
前記ショートコードに従って前記Ｓ−ＳＣＨコードワードを前記生成することは、ｓ0（ＩＤ）およびｓ1（ＩＤ）を、Ｓ−ＳＣＨコードワードＳa（ＩＤ）およびＳb（ＩＤ）に構築することを含む、請求項２記載の符号化方法。ただし、Ｓa（ＩＤ）＝［ｓ0（ＩＤ），ｓ1（ＩＤ）］、Ｓb（ＩＤ）＝［ｓ1（ＩＤ），ｓ0（ＩＤ）］である。
【請求項４】
すべての前記Ｓ−ＳＣＨコードワードは、各セルＩＤまたはセルグループＩＤに、ＩＤの順序で、１つずつ、順に対応するか、または、
すべての前記Ｓ−ＳＣＨコードワードは、各セルＩＤまたはセルグループＩＤに、ランダムな順序で、１つずつ、それぞれ対応する、請求項３に記載の符号化方法。
【請求項５】
前記コードワードを構築することの後に、前記方法は、
同じフレーム内の異なる同期シンボルにおいて、Ｓa（ＩＤ）およびＳb（ＩＤ）をそれぞれ送信することをさらに含む、請求項４に記載の符号化方法。
【請求項６】
前記Ｌは３１である、請求項１又は２に記載の符号化方法。
【請求項７】
全体として１７０のセルＩＤまたはセルグループＩＤが存在し、ＩＤの値は０〜１６９である、請求項１又は２に記載の符号化方法。
【請求項８】
各セルＩＤまたはセルグループＩＤに対応するコードワードは、以下の表に示される請求項７に記載の符号化方法。
【表１】
2010520681.tif 000004
【請求項９】
通信システムにおけるフレーム同期信号のための符号化装置であって、
予め定義されたオフセットを記憶するように構成された、オフセット構成サブユニット（３１）であって、前記予め定義された設定されたオフセットは、前記予め定義されたオフセットが加算されたセルＩＤまたはセルグループＩＤに対応する各セカンダリ同期チャネル（Ｓ−ＳＣＨ）コードワード内で、各生成されたＳ−ＳＣＨコードワード内の第１のショートコードが第２のショートコードよりも大きいか、または、各生成されたＳ−ＳＣＨコードワード内の第１のショートコードが第２のショートコードよりも小さいということと、それらのショートコード距離が、予め定義されたしきい値以下であるということとを保証するために使用される、オフセット構成サブユニット（３１）と、
前記セルＩＤまたはセルグループＩＤの中間変数を取得するために、各セルＩＤまたはセルグループＩＤに、前記予め定義されたオフセットを、順次加算するように構成された、中間変数計算サブユニット（３２）と、
前記セルＩＤまたはセルグループＩＤに対応するショートコードを取得するために、前記セルＩＤまたはセルグループＩＤに対応し、前記中間変数計算サブユニット（３２）により取得された前記中間変数を以下の式に従って符号化するように構成された、符号化ユニット（１）と、
【数２】
2010520681.tif 000005
ただし、ＩＤ’は前記中間変数を示し、ｓ0（ＩＤ）は、前記セルＩＤまたはセルグループＩＤに対応する前記第１のショートコードを示し、ｓ1（ＩＤ）は、前記セルＩＤまたはセルグループＩＤに対応する前記第２のショートコードを示し、Ｌは、セカンダリ同期コード（ＳＳＣ）シーケンスセットの要素の数を示す正の整数である、
前記符号化ユニット（１）により取得された前記ショートコードに従って、Ｓ−ＳＣＨコードワードを生成するように構成された、コードワード生成ユニット（２）であって、各生成されるＳ−ＳＣＨコードワード内の前記第１のショートコードは前記第２のショートコードよりも大きいか、または、各生成されるＳ−ＳＣＨコードワード内の前記第１のショートコードは前記第２のショートコードよりも小さく、かつ、それらの前記ショートコード距離は、すべて、前記予め定義されたしきい値以下である、コードワード生成ユニット（２）とを具備する、符号化装置。
【請求項１０】
通信システムにおける符号化方法であって、非負整数である変数Ｎを、２つのコードワードＳａ（Ｎ）＝［ｓ0（Ｎ），ｓ1（Ｎ）］およびＳｂ（Ｎ）＝［ｓ1（Ｎ），ｓ0（Ｎ）］に符号化することを含み、
前記符号化することは、
【数３】
2010520681.tif 000006
を含む符号化方法。
ただし、
【数４】
2010520681.tif 000007
Ｌは、セカンダリ同期コード（ＳＳＣ）シーケンスセットの要素の数を示す正の整数である。
【請求項１１】
前記Ｌは３１である、請求項１０に記載の符号化方法。
【請求項１２】
前記変数Ｎは、セルＩＤまたはセルグループＩＤである、請求項１０又は１１に記載の符号化方法。
【請求項１３】
すべての前記コードワードは、各セルＩＤまたはセルグループＩＤに、Ｎの順序で、１つずつ、順に対応するか、または、
すべての前記Ｓ−ＳＣＨコードワードは、各セルＩＤまたはセルグループＩＤに、ランダムな順序で、１つずつ、それぞれ対応する、請求項１２に記載の符号化方法。
【請求項１４】
Ｓa（ＩＤ）およびＳb（ＩＤ）がフレーム同期化を実現するために構成され、前記方法は、
同じフレーム内の異なる同期シンボルにおいて、Ｓa（ＩＤ）およびＳb（ＩＤ）をそれぞれ送信することをさらに含む、請求項１３に記載の符号化方法。